(57)【特許請求の範囲】
【請求項１】
かつらベースに毛髪を植毛してなるかつらの製造方法であって、
前記毛髪の結び目から延出される当該毛髪の対が、前記かつらベースの表側を向くように、前記毛髪を前記かつらベースに結着する第一工程と、
前記毛髪の対のうちの一方を、前記結び目の近傍から裏側に通し、所定の間隔を隔てた箇所から表側に引き出す第二工程と、を有する
ことを特徴とするかつらの製造方法。
【請求項２】
前記かつらベースは、複数の網目が配列された網地からなり、
前記第一工程は、前記毛髪の結び目から延出される当該毛髪の対が、前記網地の表側を向くように、前記毛髪を前記網地に結着し、
前記第二工程は、
前記毛髪の対のうちの一方を、前記結び目の近傍の網目から裏側に通し、所定の間隔を隔てた網目から表側に引き出す
ことを特徴とする請求項１に記載のかつらの製造方法。
【請求項３】
かつらベースに毛髪を植毛してなるかつらであって、
前記かつらベースは、複数の網目が配列されてなり、
前記毛髪の結び目から延出される当該毛髪の対が、当該かつらベースの表側を向くように前記毛髪を結着し、
前記毛髪の対のうちの一方は、前記結び目の近傍から裏側に通し、少なくとも１つの網目を隔てた箇所から表側に引き出している
ことを特徴とするかつら。
【発明の詳細な説明】
【技術分野】
【０００１】
本発明は、かつらベースに毛髪を植毛してなるかつらの製造方法及びそのかつらに関する。
【背景技術】
【０００２】
一般に、かつらは、かつらベースに人工毛などの毛髪を結着により植毛することで製作されている。
この毛髪の植毛方法においては、巻き数が１回のツイストハーフノットと呼ばれる結着方法や、巻き数が２回のツーアンドハーフノットと呼ばれる結着方法などが知られている。
ツイストハーフノットのように巻き数が少ない植毛方法の場合、結び目は小さく目立ちにくいため自然な外観を提供できるが、結び目が解け易いために毛髪が抜け易い問題がある。
このような問題に対し、ツーアンドハーフノットは、ツイストハーフノットに比べ巻き数を増やしていることで、比較的結び目を解けにくくできるが、その分結び目が大きくなって目立ち易くなる問題がある。
【０００３】
そこで、このような結び目に関する問題を解決するため、２層のかつらベースを備えたかつらの製造方法が提案されている。
例えば、特許文献１には、網地（ネット）の表側にスキン網を重ねた２層構造のかつらベースを備え、網地に毛髪を結着させた後、この毛髪をスキン網に通して表側に引き出す「引抜き」と呼ばれる植毛方法（手編み方法）が記載されてある。
このような植毛方法によれば、網地に形成された結び目がスキン網により覆われるため、巻き数を問わず結び目を目立たなくすることができる。
【先行技術文献】
【特許文献】
【０００４】
【特許文献１】特開２００６−１３２０７２号公報
【発明の概要】
【発明が解決しようとする課題】
【０００５】
しかしながら、上述した「引抜き」の植毛方法は、毛髪を網地に結着するだけでなく、結着した毛髪を網地とは別のスキン網から引き出すといった、煩雑な作業が増える。
また、毛髪を抜け難くするため、巻き数の多い植毛方法を採用する場合には、結着時の作業が増えるため、この場合は、さらに煩雑になる。
【０００６】
本発明は、上記の事情にかんがみなされたものであり、自然な見た目で毛髪が抜け難いかつらを簡易に製作することができるかつらの製造方法及びそのかつらの提供を目的とする。
【課題を解決するための手段】
【０００７】
この目的を達成するため、本発明のかつらの製造方法は、かつらベースに毛髪を植毛してなるかつらの製造方法であって、毛髪の結び目から延出される当該毛髪の対が、かつらベースの表側を向くように毛髪をかつらベースに結着する第一工程と、毛髪の対のうちの一方を、結び目の近傍から裏側に通し、所定の間隔を隔てた箇所から表側に引き出す第二工程と、を有するようにしている。
【０００８】
また、本発明のかつらは、かつらベースに毛髪を植毛してなるかつらであって、かつらベースは、毛髪の結び目から延出される当該毛髪の対が、当該かつらベースの表側を向くように前記毛髪を結着し、毛髪の対のうちの一方は、結び目の近傍から裏側に通し、所定の間隔を隔てた箇所から表側に引き出すようにしている。
【発明の効果】
【０００９】
本発明によれば、自然な見た目で毛髪が抜け難いかつらを簡易に製作し、提供することができる。
【図面の簡単な説明】
【００１０】
【図１】本発明の実施形態に係るかつらの平面図である。
【図２】本発明の実施形態に係る毛髪の植毛方法を示す図である。
【図３】（ａ）は、図２（６）に示す毛髪を横方向から見た様子を示す図であり、（ｂ）は、図２（１０）に示す毛髪を横方向から見た様子を示す図である。
【図４】本発明に係る植毛方法と従来の植毛方法とを比較した比較表である。
【図５】（ａ）及び（ｂ）は、本発明の植毛方法により製作されたかつらに対しシャンプーテストを実施したときの実施前及び実施後の写真である。（ｃ）及び（ｄ）は、従来の植毛方法により製作されたかつらに対しシャンプーテストを実施したときの実施前及び実施後の写真である。
【発明を実施するための形態】
【００１１】
以下、本発明のかつらの製造方法及びかつらの実施形態について、図１〜図５を参照して説明する。
【００１２】
図１に示すように、本発明の実施形態に係るかつら１は、かつらベース２と、このかつらベース２に植毛する毛髪５とを備えている。
かつら１は、かつら装着者の頭部のほぼ全体を覆う全頭用の用途でもよく、頭部の一部を覆う部分用の用途であってもよい。
かつらベース２は、毛髪を植毛するベース部材であり、上記用途に合わせて全体の形状が形成されている。
本実施形態のかつらベース２は、図１に示すように、部位に応じて、本体部２ａと、周縁部２ｂと、分け目部２ｃと、に分かれて構成されている。
【００１３】
本体部２ａは、かつらベース２の本体部分であり、フィラメントなどの地糸２２を織り込んだ網地２１により構成することができる。例えば、本実施形態のように、地糸２２を縦方向及び横方向に格子状に織り込むことで複数の角目状の網目２３が配列された網地２１を用いることができる（図２参照）。
周縁部２ｂは、本体部２ａの周縁をなす部分であり、例えば、本体部２ａの周縁を所定幅分折り返すことで構成することができる。
これにより、かつらベース２の周縁を強化して形状安定性を保つことができる。
周縁部２ｂは、これ以外にも、本体部２aと異なる素材の部材を接合したり、本体部２ａとは網目のサイズや形状が異なる網地を接合して構成することもできる。
分け目部２ｃは、毛髪５の分け目に相当する部分であり、例えば、ウレタンなどの樹脂からなる人工皮膚を本体部２ａの所定位置に接合して構成することができる。
毛髪５は、人工毛髪や加工人毛からなり、本体部２ａ、周縁部２ｂの網地２１や、分け目部２ｃの人工皮膚に植毛することができる。
本実施形態では、網地２１に毛髪５を植毛する植毛方法について、以下に説明する。
【００１４】
植毛方法は、第一工程と第二工程とを有している。
なお、この植毛方法では、適宜、棒状の植毛具６を用いて作業を行うようにしている。
この植毛具６は、毛髪５を引っ掛けやすいように端部が湾曲し、先端の内側に返しが施された鉤部６１を形成している。
【００１５】
第一工程は、ツイストハーフノットと呼ばれる結着方法によって毛髪５をかつらベース２に結着する工程である。
具体的には、まず、図２（１）に示すように、結着の準備作業として、毛髪５を二つ折りにしてＵ字部５ｕを形成するとともに、植毛具６の鉤部６１を、第一の網目２３ａの表側から挿入し、地糸２２の裏側を跨いで、第二の網目２３ｂの裏側から挿入して、鉤部６１の先端を表側に突出させる。
【００１６】
次に、図２（２）に示すように、鉤部６１にＵ字部５ｕを被せた後、この鉤部６１を、Ｕ字部５ｕに引っ掛けながら第二の網目２３ｂ及び第一の網目２３ａから引き抜き、続けて、図２（３）に示すように、植毛具６を上方に動かすことで、Ｕ字部５ｕを所望の高さまで引き上げ、その後、図２（４）に示すように、植毛具６を回転させることでＵ字部５ｕの根元を捻り、ループ５Ｌを形成する。
【００１７】
続いて、図２（５）に示すように、鉤部６１を、ループ５Ｌに挿入されている状態のまま、このループ５Ｌから延びる２本の毛髪５ａ，５ｂのうちの一方の毛髪５ａに引っ掛け、その後、植毛具６を引くことによって、鉤部６１に引っ掛けた毛髪５ａをループ５Ｌから引き出す。
そして、ループ５Ｌから引き出した毛髪５ａと毛髪５ｂを互いに引き絞ることで、図２（６）に示すように、毛髪５を地糸２２に結着する。
これにより、図３（ａ）に示すように、地糸２２に結び目５ｋが形成され、当該結び目５ｋから延出される毛髪５の対５ａ，５ｂをかつらベース２の表側に向けてＶ字状に形成することができる。
なお、第一工程の結着方法としてツイストハーフノットを例に挙げたが、これ以外にも、ツーアンドハーフノットやひばり結び等、一の結び目から毛髪５の対や複数本の毛髪５をかつらベース２の表側に向くように延出させることが可能な結着方法であれば特に制限なく適用することができる。
【００１８】
第二工程では、かつらベース２の表側に向けて延出されている毛髪５の対５ａ，５ｂのうち、一方の毛髪５ａを、結び目５ｋの近傍から裏側に通し、所定の間隔を隔てた箇所から表側に引き出す。
具体的には、図２（７）に示すように、植毛具６の鉤部６１を、第三の網目２３ｃから通した後第一の網目２３ａから表側に突出させ、図２（８）に示すように、鉤部６１で毛髪５ａを巻き込みつつ、図２（９）に示すように、植毛具６を引き抜く。
このような簡易な作業によって、毛髪５ａは、結び目５ｋの近傍の第一の網目２３ａから裏側に通され、当該毛髪５ａが流れる方向に沿って所定の間隔（網目２個分）を隔てた第三の網目２３ｃから表側に引き出される。
このようにすると、図２（１０）及び図３（ｂ）に示すように、結び目５ｋから延出する毛髪５の対５ａ，５ｂのうち、毛髪５ａをかつらベース２側に傾かせ、毛髪５ｂをより垂直に立たせることができる。
【００１９】
すなわち、第一工程における結着によって、結び目５ｋからは２本の毛髪５ａ，５ｂがＶ字状（二股）に延出され、かつらベース２に対してそれぞれ所定の角度（θ）で立たせることができる（図３（ａ）参照）が、本発明の植毛方法は、この状態から、一方の毛髪５ａを、その根元からかつらベース２の裏側に通し、毛髪５ａの流れに沿って相当の長さ部分をくぐらせて表側に出す第二工程を加えている。
これにより、毛髪５ａは、その根元を含めた相当部分がかつらベース２により押さえ付けられて当該かつらベース２側に傾けられ、これに伴って結び目５ｋが傾く。そうすると、結び目５ｋから延出されている他方の毛髪５ｂの延出方向も傾き、この結果、毛髪５ｂを元の角度（θ）よりも垂直な角度（θ’＞θ）で立たせることができる（図３（ｂ）参照）。
このため、毛髪５ｂによってボリューム感を出すことができる。
また、上述した第一工程や第二工程は、ともに単層のかつらベース２に対して行われる簡易な作業であるため、複層のかつらベースの場合に比べ簡易にかつら１を製作することができる（前述の特許文献１参照）。
【００２０】
また、毛髪５ａの相当部分をかつらベース２の裏側をくぐらせた後に表側に延出させることで、毛髪５ａをかつらベース２側に大きく傾かせることができる。
これにより、毛髪５ａをかつらベース２の表面に沿って寝かすことができ、自然な毛髪５の流れを形成することができる。
このため、例えば、頭頂部と側頭部・後頭部との境界近傍において、頭頂部側に植毛した毛髪５ｂによってボリューム感を出しつつ、側頭部側や後頭部側に植毛した毛髪５ａによって自然な毛髪５の流れを形成することができる。
【００２１】
また、毛髪５ａは、相当部分がかつらベース２の裏面と当接していることから、その部分は、摩擦を伴いつつ、かつらベース２により押さえつけられている。
これにより、毛髪５ａは、結び目５ｋの方向に戻りにくくなることから、結び目５ｋを解けにくくすることができる。すなわち、仮に、毛髪５ａに対し結び目５ｋの方向に向かう力が働いた場合には、かつらベース２との摩擦により、毛髪５ａの延出方向に向けて引っ張る力が作用する。
このため、巻き数の少ない結着方法であっても、毛髪５を抜け難くすることができ、併せて、結び目５ｋを目立ちにくくすることができる。
【００２２】
加えて、このように、毛髪５ａを結び目５ｋの方向に戻りにくくして固定することで、結び目５ｋの傾いた状態を維持することができ、この結果、毛髪５ｂの立っている状態を安定的に維持することができる。
さらに、手指やブラシ等により毛髪５ａを梳くことによって、当該毛髪５ａをその延出方向に引っ張ることができ、これにより、結び目５ｋを傾いた状態で維持することができる。
このため、このような日常的な動作によっても、毛髪５ｂが立っている状態を簡易に維持させることができる。
【００２３】
次に、本発明に係る植毛方法の従来の植毛方法と比較した特徴について、図４の比較表を参照しながら説明する。
具体的には、従来の植毛方法として、「ツイストハーフノット」、「ツーアンドハーフノット」、「引抜き」と比較した場合について説明する。
なお、「ツイストハーフノット」は、本発明の第一工程のみに相当する結着方法による植毛方法である（図２（１）〜（６），図３（ａ）参照）。
「ツーアンドハーフノット」は、「ツイストハーフノット」の巻き数が１回であるのに対し、巻き数が２回の結着による植毛方法である（図示省略）。
「引抜き」は、かつらベースを２層備え、下層のかつらベースに毛髪を結着し、当該結着した毛髪を、上層のかつらベースから引き抜く植毛方法である（特許文献２参照）。この場合の結着方法は、例えば、「ツイストハーフノット」や「ツーアンドハーフノット」を用いることができる。
なお、図４の各数値は、数値が大きいほど良好な効果を奏することを示している。
【００２４】
図４に示すように、本発明の植毛方法の「立ち上がり」は、数値が「１０」であり、Ａ〜Ｃ欄と比較するとわかるように、従来の植毛方法に比べ良好である。
これは、図３（ｂ）に示すように、本発明の植毛方法が、Ｖ字状に毛髪５ａ，５ｂを立ち上げる従来の植毛方法（図３（ａ）参照）に加え、一方の毛髪５ａを傾けることで、他方の毛髪５ｂをより垂直に立ち上げるようにしたからである。
【００２５】
また、本発明の植毛方法の「結び目の目立ちにくさ」は、数値が「８」であり、Ａ〜Ｂ欄と比較するとわかるように、「ツイストハーフノット」と同等であり、「ツーアンドハーフノット」に比べ良好であり、
これは、本発明の植毛方法は、結び目５ｋの巻き数が「ツイストハーフノット」と同じく１回であり（図２参照）、結び目の巻き数が２回の「ツーアンドハーフノット」に比べ、結び目５ｋを小さくして目立ちにくいようにしているからである。
【００２６】
また、本発明の植毛方法の「植毛時間」は、数値が「８」であり、Ｃ欄と比較するとわかるように、「引抜き」に比べ良好である。
これは、本発明の植毛方法は、単層のかつらベース２に対する比較的簡易な作業で済むのに対し、「引抜き」の場合、下層のかつらベースに毛髪を結着する工程に加え、結着した毛髪を上層のかつらベースから引き抜く工程等、層ごとに煩雑な作業が必要であるからである。
【００２７】
また、本発明の植毛方法の「抜け難さ」は、数値が「９」であり、Ａ欄と比較するとわかるように、「ツイストハーフノット」に比べ良好である。
これは、本発明の植毛方法は、図２（１０）や図３（ａ）に示すように、かつらベース２の裏側に毛髪５ａを通すことで、当該毛髪５ａを当該かつらベース２により押さえ付けるようにしており、これにより、毛髪５ａが、結び目５ｋの方向に戻りにくくして当該結び目５ｋが解けにくいようにしているからである。
【００２８】
図５（ａ）及び（ｂ）は、本発明の植毛方法により製作されたかつら１に対しシャンプーテストを実施したときの実施前及び実施後の写真であり、図５（ｃ）及び（ｄ）は、従来の植毛方法としてツイストハーフノットにより製作されたかつらに対しシャンプーテストを実施したときの実施前及び実施後の写真である。
従来の植毛方法の場合、図５（ｃ）及び（ｄ）に示すように、毛髪の結び目が緩んでいる箇所が散見された（図５（ｄ）の点線部分参考）。
これに対し、図５（ａ）及び（ｂ）に示すように、本発明の植毛方法により毛髪５が植毛されたかつら１の場合、結び目５ｋが緩んでいる箇所や毛髪が抜けている箇所は見あたらなかった。
【００２９】
このように、本発明のかつらの製造方法及びかつらによれば、自然な見た目で毛髪が抜け難いかつらを簡易に製作し提供することができる。
【００３０】
以上、本発明のかつら及びかつらの製造方法の好ましい実施形態について説明したが、本発明のかつら及びかつらの製造方法は上記実施形態にのみ限定されるものではなく、本発明の範囲で種々の変更実施が可能であることは言うまでもない。
例えば、上述した実施形態では、網地２１のかつらベース２に毛髪５を植毛する場合について説明したが、分け目部２ｃに用いられるウレタンなどの樹脂からなる人工皮膚に対しても、本発明の植毛方法により毛髪５を植毛することもできる。
また、角目状の網目２３が配列された網地２１を例示したが、網目２３の形状は、三角形、六角形など、どのような形状であっても良い。
また、上述した実施形態では、毛髪５ａを結び目５ｋに隣接する第一の網目２３ａから裏側に通し、網目２個分を隔てた第三の網目２３ｃから表側に出すようにしているが、第一の網目と第三の網目の間隔を、網目３個分以上にすることもできる。
また、この場合、毛髪５ａを、網目ごとに裏→表→裏→・・・といったように交互にくぐらせて布設することができる。
また、植毛具６を用いた人手による植毛ではなく、上記植毛方法がプログラミングされた植毛装置によって自動的に植毛を行うことができる。
【産業上の利用可能性】
【００３１】
本発明は、かつらベースに毛髪を植毛してなるかつらやかつらの製造方法に好適に利用することが可能である。
【符号の説明】
【００３２】
１  かつら
２  かつらベース
２ａ  本体部
２ｂ  周縁部
２ｃ  分け目部
２１  網地
２２  地糸
２３  網目
２３ａ  第一の網目
２３ｂ  第二の網目
２３ｃ  第三の網目
５  毛髪
５ａ  一方の毛髪
５ｂ  他方の毛髪
５ｕ  Ｕ字部
５Ｌ  ループ
５ｋ  結び目
６  植毛具
６１  鉤部
【図１】
0006742122.tif 000002
【図２】
0006742122.tif 000003
【図３】
0006742122.tif 000004
【図４】
0006742122.tif 000005
【図５】
0006742122.tif 000006